(57)【要約】【課題】            枠組部材の形状大きさが繰出収納装置により制約されてしまうのを軽減することができる開閉装置の設置構造を提供する。【解決手段】        エレベータ用扉２の手前側の空間を少なくとも上枠部１１と左右の側枠部１２，１３とにより三方から囲む枠組部材１０と、該枠組部材１０内の空間を上下方向へ仕切ったり開放したりすべく開閉体２１を上枠部１１内から繰出したり同上枠部１１内へ収納したりする繰出収納装置２０とを備え、上枠部１１よりも手前側であって繰出収納装置２０よりも下側に、上枠部１１に近接または接触させて天井部３０を配設した。【選択図】          図１
2005090122.tif 000002
【特許請求の範囲】
【請求項１】
エレベータ用扉の手前側の空間を少なくとも上枠部と左右の側枠部とにより三方から囲む枠組部材と、該枠組部材内の空間を上下方向へ仕切ったり開放したりすべく開閉体を前記上枠部内から繰出したり同上枠部内へ収納したりする繰出収納装置とを備えた開閉装置の設置構造において、
前記繰出収納装置を、エレベータ用扉よりも手前側に位置し且つ前記上枠部に近接または接触する天井部よりも、上側に配置したことを特徴とする開閉装置の設置構造。
【請求項２】
上記繰出収納装置の手前側部位を、上記上枠部よりも手前側へ突出させたことを特徴とする請求項１記載の開閉装置の設置構造。
【請求項３】
上記手前側部位は、上記開閉体を繰出したり収納したりするための駆動源であることを特徴とする請求項１又は２記載の開閉装置の設置構造。
【請求項４】
上記繰出収納装置を、上記上枠部よりも上方側に配置したことを特徴とする請求項１乃至３何れか１項記載の開閉装置の設置構造。
【請求項５】
上記天井部における上記上枠部側に、扉部材により開閉可能な開口部を設けたことを特徴とする請求項１乃至４何れか１項記載の開閉装置の設置構造。
【請求項６】
上記開口部における開閉体幅方向の寸法を、上記繰出収納装置における開閉体幅方向の長さと略同等の寸法、又は該長さよりも長い寸法に設定したことを特徴とする請求項５記載の開閉装置の設置構造。
【請求項７】
上記枠組部材は、上記上枠部の手前寄りの部位であって上記天井部よりも下側の部位に、扉部材により開閉される開口部を有することを特徴とする請求項１乃至６何れか１項記載の開閉装置の設置構造。
【発明の詳細な説明】
【技術分野】
【０００１】
本発明は、エレベータ扉の手前側の空間を仕切ったり開放したりする開閉装置の設置構造に関し、特に、火災発生等の非常時にエレベータシャフトを介して室内側へ炎や煙等が侵入するのを阻むのに好適な開閉装置の設置構造に関する。
【背景技術】
【０００２】
エレベータ籠の上下方向への通路を確保するエレベータシャフトは、エレベータが設置される建物内や、地下街等の構築物内に上下方向にわたって形成されることから、火災発生時には炎や煙等の通路となるおそれがある。このため、前記エレベータシャフトを介して炎や煙等が上下階の室内側へ侵入するのを防止するために、火災発生時等にエレベータ用扉よりも手前側の枠組部材内の空間を閉鎖するようにした開閉装置がある。
【０００３】
例えば、特許文献１に記載された従来技術は、エレベータ用扉７の手前側の空間を上枠部材（１３）と左右の側枠部材（１４）とにより三方から囲む開口部用外枠組み（１５）と、開口部用外枠組み（１５）の上側に配置されて巻取軸（３４）によりシャッターカーテン（３０）を繰出したり巻取ったりする上下動手段（３３）と、巻取軸（３４）の上方に配置された開閉機（３６）とを備え、前記上下動手段（３３）を前記上枠部材（１３）の開閉体厚さ方向（エレベータ籠に対し入ったり出たりする方向）の寸法内に収めて隠すように構成している。
【０００４】
しかしながら、上記従来技術によれば、上下動手段（３３）を上枠部材（１３）における開閉体厚さ方向の寸法内に収めて隠すように構成していたため、開口部用外枠組み（１５）の形状大きさが上下動手段（３３）の寸法に制約されてしまう場合があった。
すなわち、上記従来技術によれば、巻取軸（３４）に巻取られるシャッターカーテン（３０）を収納するために、開口部用外枠組み（１５）における開閉体厚さ方向の寸法を、巻取られたシャッターカーテン（３０）の最大径よりも大きくしていた（特許文献１における図２参照）。
そのため、開口部用外枠組み（１５）が開閉体厚さ方向に大きくなり、意匠性を損ねてしまったり、開口部用外枠組み（１５）よりも手前側のエレベータホール（３）を狭くしてしまったり、あるいは開口部用外枠組み（１５）の製造コストが高騰してしまったり等の要因となる場合があった。
【特許文献１】特開２００３−８９４９０号公報
【発明の開示】
【発明が解決しようとする課題】
【０００５】
本発明は上記従来事情に鑑みてなされたものであり、その課題とする処は、枠組部材の形状大きさが繰出収納装置により制約されてしまうのを軽減することができる開閉装置の設置構造を提供することにある。
【課題を解決するための手段】
【０００６】
上記課題を解決するために第一の発明は、エレベータ用扉の手前側の空間を少なくとも上枠部と左右の側枠部とにより三方から囲む枠組部材と、該枠組部材内の空間を上下方向へ仕切ったり開放したりすべく開閉体を前記上枠部内から繰出したり同上枠部内へ収納したりする繰出収納装置とを備えた開閉装置の設置構造において、前記繰出収納装置を、エレベータ用扉よりも手前側に位置し且つ前記上枠部に近接または接触する天井部よりも、上側に配置したことを特徴とする。
【０００７】
ここで、上記枠組部材とは、エレベータ用扉の手前側の空間を少なくとも上枠部と左右の側枠部とにより三方から囲む部材であればよく、すなわち前記空間を上枠部と左右の側枠部と下枠部とにより四方から囲む部材であってもよい。
なお、この枠組部材には、上枠部と左右の側枠部とからなる一般的な三方枠を含む。
また、上記「エレベータ用扉の手前側」および上記「エレベータ用扉よりも手前側」とは、エレベータ扉を基準にしてエレベータ籠と反対側であることを意味する。
【０００８】
また、上記繰出収納装置は、小型で施工性に優れた好ましい態様として、上記開閉体を巻取軸により巻取ったり繰出したりする巻取装置が挙げられる。
この繰出収納装置の他の態様としては、開閉体を巻取ことなく上記上枠部の上方へ収納する態様や、開閉体を折り畳むことで上記上枠部の上方へ収納する態様、複数の板材等からなる開閉体をスライドさせて重ね合わせながら上記上枠部の上方へ収納するようにした態様等が挙げられる。
また、この繰出収納装置には、上記上枠部内に配置された態様や、上記上枠部の上部に載置された態様、上記上枠部よりも上方へ離れて配置された態様等を含む。
また、この繰出収納装置の駆動源は、電動モータ等を用いた電気的な構成や、バネ等の付勢部材を用いた構成、開閉体や錘部材の自重を利用した構成、これら構成を組み合わせてなる構成等、これらの内の何れの構成であってもよい。
【０００９】
また、上記開閉体の具体例としては、複数のスラットを開閉方向へ連設してなる開閉体や、単数もしくは複数連設したパネルや、シート状物からなる開閉体、あるいはスラット、パネル、シート状物等を適宜に組み合わせてなる開閉体等が挙げられる。
この開閉体の特に好ましい態様としては、シリカクロス等の耐火性を有する布地により構成される。この態様によれば、当該開閉装置の設置構造を、防火防煙性能を有する構造とすることができる上、軽量な布地性の開閉体を用いているため、開閉体の開閉動作を高速化することができる。
【００１０】
また、上記天井部は、エレベータ扉を基準にしてエレベータ籠とは反対側に位置する空間（例えば、上記枠組部材よりも手前側のエレベータホール等の空間）の天井面となる部位である。
この天井部には、上記上枠部の手前面に近接または接触した態様や、上記上枠部よりも低く位置した態様等を含む。
この天井部として用いられる具体的材料には、例えば、石膏ボードや、ベニヤ、鉄板等、一般建築用に用いられている天井材やその他の板材等が挙げられる。
【００１１】
なお、本明細書中において「開閉体厚さ方向」とは、閉鎖状態の上記開閉体の厚さ方向を意味する。
また、本明細書中において「開閉体開閉方向」とは、上記開閉体が開閉動作する方向であって、開閉体の幅方向や厚さ方向でない方向を意味する。
また、本明細書中において「開閉体幅方向」とは、上記開閉体の開閉方向と略直交する方向であって、上記開閉体の厚さ方向ではない方向を意味する。
【００１２】
また、第二の発明では、上記繰出収納装置の手前側部位を、上記上枠部よりも手前側へ突出させたことを特徴とする。
【００１３】
上記繰出収納装置の手前側部位の具体例としては、上記繰出収納装置の駆動源や、上記繰出収納装置を収納するケーシング、上記繰出収納装置に用いられているブラケット等が挙げられ、これら部材の一部分であっても全体部分であってもよい。
【００１４】
また、第三の発明では、上記手前側部位は、上記開閉体を繰出したり収納したりするための駆動源であることを特徴とする。
【００１５】
また、第四の発明では、上記繰出収納装置を、上記上枠部よりも上方側に配置したことを特徴とする。
【００１６】
この第四の発明には、上記繰出収納装置を上記上枠部の上端に載置した構成や、上記繰出収納装置を上記上枠部の上方へ離して配置した構成等を含む。
【００１７】
また、第五の発明では、上記天井部における上記上枠部側に、扉部材により開閉可能な開口部を設けたことを特徴とする。
【００１８】
ここで、この第五の発明における上記開口部は、上記扉部材により開閉可能なものであればよいが、メンテナンス性を向上する観点より、好ましくは、メンテナンス等を行う作業者が少なくとも手を挿入可能な大きさの開口部とされ、更に好ましくは、上記繰出収納装置の全部または上記繰出収納装置を構成する部品を通過可能な大きさの開口部とされる。
【００１９】
また、この第五の発明における上記扉部材は、上記開口部を開閉可能なものであればよく、この扉部材には、上記天井部に軸支されて回動することで上記開口部を開閉する態様や、上記天井部に沿ってスライドすることで上記開口部を開閉する態様、上記開口部を片開き状に開閉する態様、上記開口部を両開き状に開閉する態様、上記天井部に着脱されることで上記開口部を開閉する態様等を含む。
【００２０】
また、第六の発明では、上記開口部における開閉体幅方向の寸法を、上記繰出収納装置における開閉体幅方向の長さと略同等の寸法、又は該長さよりも長い寸法に設定したことを特徴とする。
【００２１】
この第六の発明のより好ましい態様としては、上記開口部における開閉体厚さ方向の寸法を、上記繰出収納装置を構成する部品を通過可能な長さに設定することで上記繰出収納装置を構成する部品の交換作業等を容易にする。
また、更に好ましい態様としては、上記開口部における開閉体厚さ方向の寸法を、上記繰出収納装置の全体を通過可能な長さに設定することで、上記開口部からの上記繰出収納装置の搬入作業や、上記開口部を介して上記繰出収納装置全体の交換作業等を行えるようにする。
【００２２】
また、第七の発明では、上記枠組部材は、上記上枠部の手前寄りの部位であって上記天井部よりも下側の部位に、扉部材により開閉される開口部を有することを特徴とする。
【００２３】
ここで、この第七の発明における上記開口部は、上記扉部材により開閉可能なものであればよいが、メンテナンス性を向上する観点より、好ましくは、メンテナンス等を行う作業者が少なくとも手を挿入可能な大きさの開口部とされ、更に好ましくは、上記繰出収納装置の全部または上記繰出収納装置を構成する部品を通過可能な大きさの開口部とされる。
【００２４】
また、この第七の発明における上記扉部材は、上記開口部を開閉可能なものであればよく、この扉部材には、軸支部を支点に回動することで上記開口部を開閉する態様や、スライドすることにより上記開口部を開閉する態様、上記開口部を片開き状に開閉する態様、上記開口部を両開き状に開閉する態様、上記上枠部に着脱されることで上記開口部を開閉する態様等を含む。
【発明の効果】
【００２５】
本発明は、以上説明したように構成されているので、以下に記載されるような作用効果を奏する。
第一の発明によれば、エレベータ用扉よりも手前側であって繰出収納装置よりも下側に天井部が位置するため、例えば繰出収納装置の手前側部位が上枠部よりも手前側へ突出するような構成とした場合でも、突出した前記手前側部位を天井部により隠すことができる。
したがって、枠組部材の形状大きさが繰出収納装置により制約されてしまうのを軽減することができる。
例えば、繰出収納装置が枠組部材の上枠部から開閉体厚さ方向へ突出する構成、すなわち枠組部材の開閉体厚さ方向の寸法を、繰出収納装置の開閉体厚さ方向の寸法よりも小さく設定すれば、枠組部材の材料コストを低減したり、枠組部材の意匠性を向上したり、あるいは枠組部材よりも手前側の空間（例えばエレベータホール等の空間）をより広くし有効利用したり等することが可能である。
【００２６】
更に、第二の発明によれば、繰出収納装置の手前側部位を上枠部よりも手前側へ突出させているため、繰出収納装置の奥側（エレベータ籠側）には、エレベータ籠との干渉を避けるとともにエレベータ籠側からのメンテナンス性を良好にする十分なスペースを確保できる。
【００２７】
更に、第三の発明によれば、繰出収納装置の駆動源を上枠部よりも手前側へ突出させているため、駆動源（開閉機）を巻取軸の上方に配置している従来技術と比較し、上枠部よりも上方側のスペースを多く確保することができる。
したがって、前記上方側のスペースをメンテナンスのための空間として有効利用できる上、枠組部材の高さ寸法を大きくして天井を高くすることも可能となる。
【００２８】
更に、第四の発明によれば、繰出収納装置を上枠部よりも上方側に配置したため、枠組部材における開閉体厚さ方向の寸法の制約を一層軽減することができる上、同枠組部材における開閉体幅方向の寸法の制約も軽減することができる。
すなわち、繰出収納装置の大きさに拘わらずに、枠組部材を開閉体厚さ方向や開閉体幅方向へ大きくしたり小さくしたりすることが可能であり、枠組部材や該枠組部材が設置される躯体側の設計的な制約を軽減することができる。
その上、繰出収納装置が上枠部材よりも上方側に配置されているため、メンテナンス等の作業時に上枠部材が邪魔になるような状況を軽減できる。
【００２９】
更に、第五の発明によれば、開口部を開放して、枠組部材の手前側から繰出収納装置に対するメンテナンス作業等を行うことができるため、エレベータ籠側からメンテナンス作業等を行っていた従来技術と比較して、前記作業の際の作業性を向上することができる。
その上、上記開口部からエレベータ用扉やエレベータ籠の上部等に対する点検やメンテナンス等を行うことも可能である。
特に、繰出収納装置の手前側部位を上枠部よりも手前側へ突出させた構成とすれば、前記手前側部位を効率的にメンテナンス作業することができる。
更には、繰出収納装置の上記駆動源を上枠部よりも手前側へ突出させた構成とすれば、比較的に点検等の機会が多い駆動源に対して、迅速なメンテナンス作業を行うことができる。
【００３０】
更に、第六の発明によれば、繰出収納装置における開閉体幅方向の略全長にわたって、枠組部材の手前側からメンテナンス作業等を行うことができる。
しかも、上記開口部から、繰出収納装置を設置したり、繰出収納装置を構成する部品や繰出収納装置全体を交換したり等することも可能であり、メンテナンス作業や設置作業等の際における現場状況への対応性に優れている。
【００３１】
更に、第七の発明によれば、上枠部に設けられた開口部により、繰出収納装置や、エレベータ用扉の上部、エレベータ籠の上部等に対するメンテナンス性を一層向上することができる。
【発明を実施するための最良の形態】
【００３２】
以下、本発明の実施の形態を図面に基づいて説明する。
先ず、本発明に係わる開閉装置の設置構造Ａが適用される構造物９０について説明すれば、この構造物９０は、図１及び図２に示すようにエレベータ籠１が昇降する通路であるエレベータシャフト９１とエレベータホール９２との間に壁９３を有する。
そして、この壁９３は、エレベータシャフト９１とエレベータホール９２とを連通する略矩形状の開口部９４を有するとともに、該開口部９４の上方側に、略垂れ下がり状の下がり壁９３ａを形成している。
また、開口部９４内のエレベータシャフト９１側には、吊戸タイプのエレベータ用扉２が、横幅方向（図２における左右方向）に開閉動作するように配設されている。
【００３３】
本発明に係わる開閉装置の設置構造Ａは、上記エレベータ用扉２よりもエレベータホール９２側の空間に構成される。
この設置構造Ａは、エレベータ用扉２の手前側（図示例によればエレベータホール９２側）の空間を上側と左右側の少なくとも三方から囲む枠組部材１０と、開閉体２１を前記枠組部材１０の上枠部１１内から下方へ繰出したり同上枠部１１内へ収納したりする繰出収納装置２０とを具備し、前記繰出収納装置２０を、前記上枠部１１の手前側で前記上枠部１１に近接または接触する天井部３０よりも、上側に配置している。
【００３４】
枠組部材１０は、上枠部１１と左右の側枠部１２，１３とからなる略コ字状に構成され、これら上枠部１１及び側枠部１２，１３と床面９５とにより囲まれる通路空間Ｓを確保している。
上枠部１１、左側の側枠部１２、右側の側枠部１３は、ステンレスや鋼板等の金属材料からなり、壁９３の開口部９４に容易に装着できるように、溶接等の接合手段により予め一体的に枠組されている。
なお、上枠部１１、左側の側枠部１２、右側の側枠部１３の各部を予め別体に形成し、前記開口部９４に装着される際に略コ字状に構成されるようにすることも可能である。
【００３５】
上枠部１１は、本実施の形態の好ましい一例によれば、エレベータホール９２側に略直立した手前面部１１ａと、エレベータシャフト９１側に略直立した奥側面部１１ｂとを、通路空間Ｓの天面となる下面部１１ｃにより連接してなる断面略コ字状に形成されている。
なお、この上枠部１１の断面形状は、前記断面コ字状に限定されるものでなく、上端部で繰出収納装置２０を受けることが可能な形状であればよい。
【００３６】
下面部１１ｃには、開閉体２１を挿通させる略矩形状の開閉体挿通孔１１ｃ１が、開閉体幅方向にわたって形成されている。
また、同下面部１１ｃにおける前記開閉体挿通孔１１ｃ１よりも手前寄りには、扉部材１１ｃ２により開閉される開口部１１ｃ３が、上枠部１１における開閉体幅方向の略全長にわたって設けられている。
【００３７】
この開口部１１ｃ３は、繰出収納装置２０の下部や、エレベータ用扉２上部側の機構等をメンテナンスするための開口部である。
扉部材１１ｃ２は、蝶番等の軸支部材により下面部１１ｃに軸支され、開口部１１ｃ３を開閉可能に覆っている。
【００３８】
側枠部１２と側枠部１３の各々は、ステンレスや鋼板等の金属材料からなり、壁９３の開口部９４側面にならう断面略コ字状を呈するとともに、エレベータホール９２側に末広がり状の傾斜面を設ける等、意匠性を良好にした形状に形成される。
そして、側枠部１２には、開閉体２１を開閉方向（図示例によれば上下方向）へ導くガイドレール１２ａが設けられ、側枠部１３にも、同様のガイドレール１３ａが設けられている。
【００３９】
各ガイドレール１２ａ（１３ａ）は、側枠部１２（１３）に一体的に加工されることで、開閉体２１の幅方向（図２によれば左右方向）の端部を囲む断面略凹状に形成されている。
そして、各ガイドレール１２ａ（１３ａ）と開閉体２１の幅方向の端部との間には、開閉体２１が各ガイドレール１２ａ（１３ａ）から開閉体幅方向に離れる方向へ抜けてしまうのを阻む構造や、開閉体２１の幅方向の端部と各ガイドレール１２ａ（１３ａ）との隙間から炎や煙等が内外へ通過するのを阻む構造等、防災機能を目的とした構成が具備されている。
【００４０】
なお、本実施の形態の各ガイドレール１２ａ（１３ａ）は、側枠部１２（１３）に一体的に加工されることで、簡素な構造でもって、各ガイドレール１２ａ（１３ａ）の強度を補強するとともに意匠性や施工性等を向上した好ましい一例を示しているが、このガイドレール１２ａ（１３ａ）は、側枠部１２（１３）とは別体に構成されるとともに、側枠部１２（１３）の表面に止着された構成とすることも可能である。
【００４１】
また、繰出収納装置２０は、枠組部材１０内の通路空間Ｓを上下方向へ仕切ったり開放したりする開閉体２１や、該開閉体２１を巻取ったり繰出したりする巻取軸２２、該巻取軸２２を両端側で回動自在に支持する支持ブラケット２３，２４、該巻取軸２２を伝動手段２６を介して回動させる駆動源２５等を具備している。
【００４２】
開閉体２１は、上端部を巻取軸２２の外周面に吊持された状態で、通路空間Ｓを遮蔽可能な略矩形シート状の本体部２１ａと、該本体部２１ａの閉鎖方向の端部（図示例によれば下端部）に略水平状に止着された座板部２１ｂとからなる。
【００４３】
本体部２１ａは、本実施の形態の好ましい一例によれば、耐火性に優れ軽量なシリカクロス性の布地からなり、開閉体幅方向に長い略矩形帯状のシート材を、開閉体開閉方向に複数連接して構成してもよいし、一枚のシート材から構成してもよい。
なお、本体部２１ａの材質は、上記態様に限定されるものでなく、ガラスクロスや、フッ素加工を施した塩化ビニル樹脂シート材、ガラス繊維を含んだ合成樹脂シート材等とすることも可能である。
【００４４】
座板部２１ｂは、開閉体２１が閉鎖された際に構造物９０の床面９５に対して開閉体幅方向にわたって当接し、開閉体２１が開放された際には、上枠部１１における開閉体挿通孔１１ｃ１の外面側に当接する部材であり、例えば断面略逆Ｔ字状に形成されている。
そして、この座板部２１ｂは、金属材料等の耐火性を有する材料から構成され、開閉体２１が閉鎖される際に、自重により本体部２１ａの皺や弛みを引き伸ばすとともに、閉鎖状態の開閉体２１と床面９５との間に、煙や炎等が通過するのを阻む。
【００４５】
また、巻取軸２２は、上枠部１１の開閉体幅方向の略全長にわたって設けられた軸部材であり、その両端部にベアリング等の回動補助部材を介して、支持ブラケット２３，２４により略水平状に支持されている。
この巻取軸２２は、図２に示す一例によれば、上枠部１１の開閉体幅方向の寸法よりも短く形成することで、構造物９０における開口部９４の側壁面との干渉を避けるようにしているが、構造物９０の開口部９４形状によっては、上枠部１１の前記寸法よりも長く形成することも可能である。
【００４６】
支持ブラケット２３，２４の各々は、断面略コ字状の補強形状を呈する金属製の部材であり、その略垂直な面により上記巻取軸２２の端部側を支持するとともに、略水平方向へ曲げられた下端面を上枠部１１の上端面に接触させて、該上枠部１１に載置され固定されている。
なお、図示例の各支持ブラケット２３，２４は、手前側（図１における左側）の端部を、上枠部１１の手前面部１１ａよりも更に手前側（エレベータホール９２側）へ突出させて、該端部に固定される駆動源２５を後述する天井部３０の開口部３１上方に配置することで、駆動源２５に対するメンテナンス向上しているが、各支持ブラケット２３，２４の前記端部を手前面部１１ａよりも奥側（エレベータシャフト９１側）とすることも可能である。
【００４７】
駆動源２５は、電動モータからなる開閉機２５ａ、及びブレーキ装置２５ｂ等からなり、開閉機２５ａの駆動軸に伝動手段２６を介することで、その回転動力を巻取軸２２へ伝達している。
そして、この駆動源２５は、略Ｌ字状の取付ブラケット２５ｃを介して支持ブラケット２３に固定されることで、上枠部１１の手前面部１１ａよりも手前側（図１における左側）へ突出している。
【００４８】
また、この駆動源２５は、図示しない制御部に電気的に接続され、煙検知センサーや炎検知センサー等、構造物９０の適所に設置される各種防災センサーからの信号に基づき制御されることで、ブレーキ装置２５ｂを解除する。その際、開閉体２１は、自重により閉鎖方向へ繰出されることになる。
その他、この駆動源２５は、枠組部材１０側の適所に設けられた手動操作スイッチ（図示せず）と電気的に接続されており、非常時等には前記手動操作スイッチの操作による開閉動作を可能にされている。
なお、開閉体２１の開閉動作の契機となる手段は、上記以外の電気的な構成や機械的な構成（例えば手動等で引かれるワイヤーに連動して開閉体が開閉動作するようにした構成）等であってもよい。
【００４９】
また、伝動手段２６は、スプロケットとチェーンや、ベルトとプーリ、複数の歯車、あるいはこれらの組み合わせ等からなる動力伝達機構であり、駆動源２５の回転動力を、所定比率の回転数の回転動力に変換し、巻取軸２２に伝達している。
【００５０】
また、天井部３０は、上枠部１１の手前面部１１ａよりも手前側（エレベータホール９２側）であって上記繰出収納装置２０の支持ブラケット２３，２４の下端よりも下側に、前記手前面部１１ａに近接または接触して配設され、エレベータホール９２の天井面となっている。
この天井部３０は、図示しない吊ボルト等の吊り部材や、ブラケット等により構造物９０等に固定されている。
【００５１】
この天井部３０には、扉部材３２により開閉可能な開口部３１が上下方向に貫通形成されている。
この開口部３１は、上枠部１１の手前面部１１ａから若干手前側（図１によれば左側）へ離れた位置であって、駆動源２５の近傍となる位置に配置され、メンテナンス等の為に人が頭側から進入可能な大きさに形成されている。
【００５２】
更に、この開口部３１は、本実施の形態の一例によれば、その開閉体幅方向の寸法を、繰出収納装置２０における開閉体幅方向の長さよりも若干長く形成することで（図２参照）、繰出収納装置２０を開閉体幅方向にわたって容易にメンテナンスできるようにするとともに、繰出収納装置２０の全部または一部分の着脱や交換を可能にしている。
【００５３】
また、扉部材３２は、開口部３１を閉鎖するように、天井部３０に装着された略矩形板状の部材である。
この扉部材３２は、その一端側が蝶番等の軸支部材を介して天井部３０に軸支され、前記軸支部材を支点にして回動することで開口部３１を開閉可能にするとともに、その他端側と天井部３０との間に介在するラッチやマグネット等の係脱部材（図示せず）により、該他端側を天井部３０に係脱させる。
【００５４】
なお、開口部３１及び扉部材３２は、図示例によれば、上枠部１１の手前面部１１ａから若干手前側に離れた位置に配置することで、施工等の際に扉部材３２と手前面部１１ａとの干渉を避けて容易に位置決めできるようにしているが、これら開口部３１及び扉部材３２は、扉部材３２の開閉動作が可能なように上枠部１１の手前面部１１ａに接触させて配置することも可能である。
【００５５】
而して、上記構成の設置構造Ａによれば、上枠部１１の手前面部１１ａよりも手前側であって繰出収納装置２０における支持ブラケット２３，２４の下端よりも下側に天井部を配設しているため、手前面部１１ａよりも手前側へ突出している駆動源２５や支持ブラケット２３，２４等を、天井部３０により隠すことができる。
したがって、枠組部材１０の開閉体厚さ方向の寸法を比較的小さく設定して、意匠性を向上したり、エレベータホール９２側のスペースを広げたりすることが可能である。
しかも、天井部３０の開口部３１を開放すれば、駆動源２５等、繰出収納装置２０の手前側部位を容易にメンテナンスすることができる上、上枠部１１の開口部１１ｃ３を開放して、繰出収納装置２０の下側部位を点検等することも可能である。
【００５６】
更に、天井部３０の開口部３１や開口部１１ｃ３からは、エレベータ用扉２やエレベータ籠１の上部側を点検することも可能である。
すなわち、天井部３０の開口部３１からは、例えば、壁９３の開口部９４における繰出収納装置２０上方の空間を介して、エレベータ用扉２やエレベータ籠１の上部側を点検可能である。
また、上枠部１１の開口部１１ｃ３からは、例えば開閉体２１の座板部２１ｂを外し本体部２１ａを全て巻取軸２２に巻取ってしまえば、巻取られた本体部２１ａの下側の空間を介して、エレベータ用扉２やエレベータ籠１の上部側を点検可能である。なお、この効果を得るためには、座板部２１ｂを本体部２１ａに対して着脱可能に接続した態様とすることが好ましい。
【００５７】
なお、上記実施の形態の好ましい一例によれば、繰出収納装置２０を上枠部１１の上面に固定したが、繰出収納装置２０を吊りボルト等の吊持部材により下がり壁９３ａに吊り下げて固定した構成とすることも可能である。
【００５８】
また、上記実施の形態の好ましい一例によれば、繰出収納装置２０を上枠部１１よりも上方側に配置することで、上枠部１１の形状大きさが繰出収納装置２０の形状大きさに特に制約され難い態様としたが、繰出収納装置２０を上枠部１１内に配置するとともに、上枠部１１の手前面部１１ａに切欠部（図示せず）を形成し、該切欠部に繰出収納装置２０における手前側へ突出する部位（駆動源２５や支持ブラケット２３，２４の手前側部分等）を挿通するようにすることも可能である。
【００５９】
また、図１に示す設置構造Ａによれば、天井部３０の高さ位置を上枠部１１の下端寄りとしているが、この天井部３０の高さ位置は、上枠部１１よりも手前側であって繰出収納装置２０よりも下側であればよく、例えば、図３に示す設置構造Ｂのように、繰出収納装置２０における支持ブラケット２３，２４の下端面に天井部３０の上面を接触させるようにしてもよい。
この設置構造Ｂによれば、天井部３０を支持ブラケット２３，２４の下端面に当接させて位置決めできるため、天井部３０の施工性が良い上、エレベータホール９２側を、天井高さの高い広い空間とすることができ、しかも、開口部３１から繰出収納装置２０迄の距離が近くなるため、繰出収納装置２０に対するメンテナンス性を一層向上することができる。
【００６０】
また、図１に示す設置構造Ａによれば、上枠部１１の開口部１１ｃ３を下面部１１ｃに設けたが、この開口部１１ｃ３は、上枠部１１の手前寄りの部位であって天井部３０よりも下側の部位に設けられていればよく、例えば、図３に示す上記設置構造Ｂのような構成であってもよい。
設置構造Ｂでは、設置構造Ａにおける上枠部１１の開口部１１ｃ３と扉部材１１ｃ２を、それぞれ開口部１１ｃ３’と扉部材１１ｃ２’に置換した構成としている。
開口部１１ｃ３’は、上枠部１１における手前面部１１ａから下面部１１ｃにわたって断面略Ｌ字状に形成された開口部であり、メンテナンス性を向上する観点より、繰出収納装置２０における開閉体幅方向の略全長にわたって設けられるのが好ましいが、繰出収納装置２０において比較的点検回数が多い要部（例えば巻取軸２２両端側の軸支部位等）に対応させて単数もしくは複数設けるようにしてもよい。
扉部材１１ｃ２’は、断面略Ｌ字状を呈し、ガイドレール１２ａ（１３ａ）寄りに配設された蝶番等の軸支部材によって下面部１１ｃに軸支されて、開口部１１ｃ３を開閉可能に覆っている。
この構成によれば、開口部１１ｃ３’が上枠部１１における手前面部１１ａから下面部１１ｃにわたって広く開放されるため、繰出収納装置２０の下部や、エレベータ用扉２の上部、エレベータ籠１の上部等に対するメンテナンス性を一層向上することができる上、開口部１１ｃ３’を開放する際に扉部材１１ｃ２’が開閉体２１側へ回動するため、開放された扉部材１１ｃ２’がエレベータホール９２側からのメンテナンス作業の邪魔になるのを防ぐことができる。
【００６１】
なお、設置構造Ａにおける開口部１１ｃ３と扉部材１１ｃ２、及び設置構造Ｂにおける開口部１１ｃ３’と扉部材１１ｃ２’は、天井部３０の開口部３１及び扉部材３２と協働して、繰出収納装置２０に対するメンテナンス性を一層向上する目的で設けられているが、枠組部材１０のコスト低減や意匠性向上等の観点からは省くことも可能である。
【００６２】
また、設置構造Ｂについて、上述した構成以外の部位については、上記設置構造Ａと略同様の構成としているため、上記設置構造Ａと同一の符号を付けることで重複する詳細説明を省略する。
【図面の簡単な説明】
【００６３】
【図１】本発明に係わる開閉装置の設置構造の一例を示す縦断面図。
【図２】同開閉装置の設置構造の正面図。
【図３】本発明に係わる開閉装置の設置構造の他例を示す縦断面図。
【符号の説明】
【００６４】
２：エレベータ用扉
１１：上枠部
１１ｃ２：扉部材
１１ｃ３：開口部
１２，１３：側枠部
１０：枠組部材
２１：開閉体
２０：繰出収納装置
２５：駆動源
３０：天井部
３１：開口部
３２：扉部材
Ａ：設置構造
【図１】
2005090122.tif 000003
【図２】
2005090122.tif 000004
【図３】
2005090122.tif 000005